(57)【特許請求の範囲】
【請求項１】
冷却液を供給する冷凍装置（１）において、
供給する冷却液の温度を設定するための温度設定手段（１２）と、
温度設定手段（１２）に設定される温度に対して、予め定める温度制御幅（１８）となるデファレンシャルを設定し、デファレンシャルの下限が冷却液の凍結回避のための所定温度（１７）より小さくなるか否かを判断し、デファレンシャルの下限が凍結回避のための所定温度（１７）より小さくなるとき、温度設手段（１２）に対する温度の設定値を無効にして、温度設定手段（１２）に対する温度の設定値を許容する最低値に修正するデファレンシャル設定手段（１１）とを含むことを特徴とする冷凍装置。
【請求項２】
前記デファレンシャル設定手段（１１）は、前記温度制御幅（１８）を設定するためのディップスイッチ（２０）を含むことを特徴とする請求項１記載の冷凍装置。
【請求項３】
前記冷凍装置（１）は、冷凍能力を変更可能であり、
前記デファレンシャル設定手段（１１）によって設定されるデファレンシャルの下限よりも、供給する冷却液の温度が低くなるとき冷凍能力を所定量小さくし、デファレンシャルの上限よりも冷却液の温度が高くなるとき冷凍能力を所定量大きくするように制御する制御手段（１０）を備えることを特徴とする請求項１または２記載の冷凍装置。
【発明の詳細な説明】
【０００１】
【発明が属する技術分野】
本発明は、所望の温度まで冷却される冷水などの冷却液を供給する冷凍装置、特に冷却液の凍結温度付近まで冷却する冷凍装置に関する。
【０００２】
【従来の技術】
従来から、たとえば特公平８−１６５５８号公報などに開示されているように、冷水を供給するためにチラーが設けられる。冷凍装置であるチラーは、冷水の温度制御を、温度設定値の上下に一定の制御幅でデファレンシャルを設定し、圧縮機の複数段の容量制御を行っている。デファレンシャルを設定するのは、一旦容量が切換えられた後で、短時間で逆方向に切換わる事態を避けるためである。単なるＯＮ／ＯＦＦ制御でも、デファレンシャルを設ける場合が多い。なおデファレンシャルと温度制御幅とは同じ意味で使用しているところがある。
【０００３】
図９は、冷却液として水を用い、その出口側の温度設定値を４．２℃として、冷凍能力が最低である４０％と、最高である１００％およびその中間の７０％を含む多段階で冷凍装置を運転させる際の水温変化を示す。この例では、設定値４．２℃の上下±１℃の制御幅の上限５．２℃および下限３．２℃の間で、デファレンシャルＤＩＦＦ＝２℃として温度制御を行う場合を想定する。しかしながら、冷却液である冷水は、０℃以下で凍結し、一旦冷水が凍結すると熱交換器の内部で伝熱管が損傷したりするおそれがあるので、デファレンシャルとは別に、凍結防止のために冷凍装置の能力を最低限の４０％に強制的に低下させるための温度が３．５℃に設定されている。また、さらに低温側には、別系統の安全対策が施されている。
【０００４】
たとえば、時刻ｔ０で冷凍装置が１００％の能力で運転され、冷水の温度が時刻ｔ１で３．５℃未満となると、冷凍装置は強制的に４０％の能力で運転される。冷凍能力が４０％に低下して、時刻ｔ２で冷水の温度が３．５℃以上となると、冷凍装置の能力は７０％に回復する。冷凍能力が７０％では冷水の温度が上昇する場合は、時刻ｔ３でデファレンシャルの上限の５．２℃以上となり、冷凍装置の能力は１００％に上昇する。冷凍装置の能力が１００％となると、冷水の温度が再び低下する場合は、時刻ｔ４で上限温度５．２℃未満となり、そのまま温度低下が続く。時刻ｔ５で３．５℃未満となると、強制的に４０％の冷凍能力となり、時刻ｔ６で３．５℃を超えると、再び冷凍能力は７０％となる。
【０００５】
【発明が解決しようとする課題】
たとえば、冷水を供給するチラーでは、ユーザができるだけ低温の冷水を得ようとするので、水温の設定値は低くなりやすく、さらに設定される水温に対して上下に一定の制御幅をデファレンシャルとして設定すると、デファレンシャルの下限が凍結防止のために設けられるセンサなどの設定値に近くなってしまう。冷凍装置では、凍結防止のための安全機構が、複数段階設けられ、より低温で作動する安全装置ほど、一旦作動した後の回復を慎重に行う必要がある。
【０００６】
図９に示す例では、冷水の温度が３．５℃未満となると、冷凍装置の能力が最低限の４０％となるだけであり、冷水の温度が３．５℃以上となると、冷凍装置の能力は７０％に回復するので、他の凍結防止のための安全機構が作動する場合のような復帰の困難性はない。しかも、１００％で冷凍装置が動作して、冷凍能力が過剰となり、デファレンシャルの下限である３．２℃で冷凍能力が１段階低下して７０％となるときには、３．５℃で冷凍能力が強制的に４０％に低下する場合に比較して、冷水の温度上昇が緩やかとなり、水温の変化のより少ない状態での冷水の供給が可能な状態となる。しかしながら凍結防止のために強制的に４０％まで冷凍能力を低下させると、冷水の温度上昇が冷凍能力７０％のときよりも急になり、デファレンシャルの上限の温度５．２℃に達して冷凍能力１００％に切換わりやすい。冷凍能力が一旦１００％に切換わると、デファレンシャルの下限に向けて１００％の冷凍能力で冷水の温度が低下する。このように１００％→強制４０％→７０％→１００％→強制４０％→…の変化を繰返すと、冷凍能力が７０％で一定している場合に比較し、冷水の温度変化が激しくなり、温度変化の下限近くで冷水が凍結したり、凍結防止用の別系統の安全装置が作動する可能性がある。
【０００７】
本発明の目的は、デファレンシャルを伴う温度制御を行っても、冷却液の凍結防止機能を作動させることが少ない冷凍装置を提供することである。
【０００８】
【課題を解決するための手段】
本発明は、冷却液を供給する冷凍装置（１）において、
供給する冷却液の温度を設定するための温度設定手段（１２）と、
温度設定手段（１２）に設定される温度に対して、予め定める温度制御幅（１８）となるデファレンシャルを設定し、デファレンシャルの下限が冷却液の凍結回避のための所定温度（１７）より小さくなるか否かを判断し、デファレンシャルの下限が凍結回避のための所定温度（１７）より小さくなるとき、温度設手段（１２）に対する温度の設定値を無効にして、温度設定手段（１２）に対する温度の設定値を許容する最低値に修正するデファレンシャル設定手段（１１）とを含むことを特徴とする冷凍装置である。
本発明に従えば、デファレンシャル設定手段（１１）は、温度設定手段（１２）に設定される温度に対して、予め定める制御幅（１８）となるデファレンシャルを設定する。設定されるデファレンシャルの下限が、冷却液の凍結回避のための所定温度（１７）より小さくなるときには、温度設定手段（１２）に設定される温度を無効とするので、デファレンシャルの下限が凍結回避のための所定温度（１７）より小さくなるような冷却液温度の設定を防ぐことができる。無効にならない温度であればデファレンシャルが設定され、凍結防止機能を作動させることが少ない状態で冷却液を供給することができる。
【０００９】
また、予め定める温度制御幅（１８）となるデファレンシャルの下限が凍結回避のための所定温度よりも小さくなるときは、温度設定手段（１２）に対する温度設定値を無効にして、許容する最低値を設定することができる。
【００１０】
また本発明は、前記デファレンシャル設定手段（１１）は、前記温度制御幅（１８）を設定するためのディップスイッチ（２０）を含むことを特徴とする。
本発明に従えば、温度設定手段（１２）に設定される冷却液の温度は、デファレンシャルの下限が冷却液の凍結回避のための所定温度（１７）より小さくならないように修正されるけれども、ユーザはデファレンシャル設定手段（１１）に温度制御幅（１８）をディップスイッチ（２０）で設定することもできる。したがって、冷凍装置のユーザは所望の温度を設定することができるようにデファレンシャルを設定して、所望の設定温度付近で安定した動作を行うことができる。
【００１１】
また本発明で前記冷凍装置（１）は、冷凍能力を変更可能であり、
前記デファレンシャル設定手段（１１）によって設定されるデファレンシャルの下限よりも、供給する冷却液の温度が低くなるとき冷凍能力を所定量小さくし、デファレンシャルの上限よりも冷却液の温度が高くなるとき冷凍能力を所定量大きくするように制御する制御手段（１０）を備えることを特徴とする。
本発明に従えば、設定温度に対してデファレンシャルを設け、冷却液の温度が、デファレンシャルの下限よりも小さくなるときに冷凍能力を所定量小さくし、冷凍能力のデファレンシャルの上限よりも大きくなるときに冷凍能力を所定量大きくするので、冷凍装置の運転を停止させないで安定な温度制御を続けることができる。特にデファレンシャルの下限は、凍結防止の機能が作動する温度よりは高く設定されるので、凍結防止機能が作動して冷凍能力が急激に減少し、冷却液の温度が上昇して冷却能力が増大して冷却液の温度が低下するような事態の繰返しを避けて、安定な温度制御を続けることができる。
【００１２】
【発明の実施の形態】
図１は、本発明の実施の一形態による冷凍装置（１）の概略的な配管系統および制御のための概略的な電気的構成を示す。チラーとも呼ばれる冷凍装置（１）で冷却液である水を冷却する水側熱交換器（２）では、たとえばＲ２２やＲ１３４ａなどの冷媒が蒸発して冷却液である水を冷却する。水側熱交換器（２）内の冷媒の圧力を低い圧力に保つため、水側熱交換器（２）内の冷媒は圧縮機（３）に吸入される。圧縮機（３）は、水側熱交換器（２）から吸入する低圧の冷媒を圧縮し、高圧の冷媒として四路切換弁（４）を介し空気側熱交換器（５）に吐出する。
【００１３】
四路切換弁（４）は、実線で示す状態と破線で示す状態とを切換え可能であり、実線で示す状態では圧縮機（３）から吐出する冷媒を空気側熱交換器（５）に導く。破線で示す状態に切換えると、吐出する冷媒を水側熱交換器（２）に導き、空気側熱交換器（５）から冷媒を吸引する。すなわち、実線で示す状態では冷凍運転を行い、破線で示す状態では水側熱交換器（２）での水の加温などを行う。実線で示す冷凍運転では、空気側熱交換器（５）は凝縮器として動作し、冷媒は凝縮して液体となる。凝縮した液体冷媒は、膨張弁（６）を通過する際に絞られて高圧から低圧に変化し、水側熱交換器（２）内で蒸発して水から熱を奪い、水を冷却する。膨張弁（６）は、圧縮機（３）の吸入側の温度が一定になるように、開度が自動的に調整される。水側熱交換器（２）で水を冷却または加温するために、冷温水入口（８）から水を供給し、冷温水出口（９）から水を取出す。
【００１４】
圧縮機（３）は、複数の切換弁などを含むアンロード装置（７）を制御することによって、複数段階で冷凍能力を切換え可能である。切換え可能な冷凍能力として、最低限の４０％、最大限の１００％および中間の７０％などの容量が、たとえばスクリュー圧縮機では機械的に切換え可能である。また、連続的に能力を調整可能なターボ方式の圧縮機などを用いたり、インバータなどを用いて、電気的に圧縮機の能力を無段階で制御するような構成も可能である。
【００１５】
圧縮機（３）の容量制御は、コンピュータを含む制御手段（１０）によって行われる。制御手段（１０）は、温度制御のデファレンシャルを設定するためのデファレンシャル設定手段（１１）によって設定される温度制御範囲に基づいて、アンロード装置（７）を制御する。デファレンシャル設定手段（１１）には、ユーザが冷水の温度を設定するための温度設定手段（１２）から設定された温度および温度制御幅が入力される。制御手段（１０）には、冷温水入口（８）付近で冷水ポンプ（１９）から与えられる水の温度を検出する入口水温検出器（１３）および冷温水出口（９）付近で水の温度を検出する出口水温検出器（１４）の検出温度が入力される。制御手段（１０）は、デファレンシャル設定手段（１１）に対して設定される温度制御幅に基づいて、入口水温検出器（１３）や出口水温検出器（１４）の検出温度が変化すると、アンロード装置（７）を制御する。
【００１６】
空気側熱交換器（５）には、空気との熱交換を促進するためのファン（１５）が設けられる。デファレンシャル設定手段（１１）は、温度設定手段（１２）にユーザによって設定される温度が、適切であるか否かを判断し、不適切であるときにはその設定値を無効にし、その旨を表示手段（１６）によって表示する。デファレンシャル設定手段（１１）が、温度設定手段（１２）に設定される温度を無効にするのは、凍結回避のための所定温度（１７）よりも、制御幅（１８）を設定温度に付加してデファレンシャルを設定したときの下限が下まわるような場合である。凍結回避のための所定温度（１７）は、冷却液が水であれば０℃で凍結するので、それよりもやや高いたとえば３℃を凍結防止温度と定める。冷却液の温度が凍結防止温度以下になると冷凍装置（１）は圧縮機（３）を停止させるサーモオフ状態となる。冷却液の温度が凍結防止温度まで下がると、冷却液が部分的に凍結するおそれが生じる。このため、圧縮機（３）を再起動し、冷凍装置（１）の冷凍能力を復旧させる際には、慎重な手順で行うように定められる。凍結防止温度よりもさらに低い、たとえば１．５℃を異常停止温度として設定し、冷却液の温度がこの温度まで低下したら、冷凍装置（１）の動作を直ちに停止させる。いったん異常停止になると、自動的には復旧しない。冷却液の温度が凍結防止温度まで下がらない複数の温度で、段階的に凍結回避のための処理が行われる。冷却水の温度が凍結防止温度に近づくほど凍結の危険度が高くなるので、凍結回避処理も簡易に復旧可能なものから慎重な復旧手順を要するものまで用意する。たとえば、簡易なものから順に列挙すると、▲１▼単に警報を出すだけ、▲２▼冷凍能力を強制的に低下させる、▲３▼冷凍能力を事実上停止させるのと同様の運転にする、▲４▼圧縮機（３）を停止させて冷凍能力を停止させる、などの処理が行われる。凍結回避のための所定温度（１７）は、冷却液が水のときに３．８℃、ブラインのときに−１５℃に設定する。制御幅（１８）は、たとえば１．５℃、２℃、４℃を選択可能とする。
【００１７】
図２は、制御幅（１８）として２℃を選択し、設定値の上下に１℃ずつデファレンシャルの上限および下限を設けて可変水量制御を行う状態で、デファレンシャルの下限温度が、凍結防止用に設けられ、冷却能力を最低限に落とすための４０％冷却運転の強制温度である３．５℃よりも０．３℃以上高くなるデファレンシャル設定の状態を示す。このとき温度設定手段（１２）の設定値は４．８℃であり、−１℃の下限は３．８℃、＋１℃の上限は５．８℃となる。圧縮機（３）の容量に関し、上限以上ではアップ域、中間ではキープ域、下限以下ではダウン域となる。このような設定温度であれば、前述の図９で説明したと同様に、時刻ｔ１０で１００％の冷凍能力で運転し、水温が低下して時刻ｔ１１でデファレンシャルの下限３．８℃以下になれば、冷凍能力は７０％に１段階だけ低下して水温の低下が緩慢になり、あるいは水温が上昇するので、強制的な４０％までの低下は生じない。したがって、仮想線で示すように外乱がない限り４０％の強制的な運転は生じにくく、安定した温度で冷水を供給することができる。一旦、４０％の強制運転が開始されると、冷却液の温度が急速に上昇する。
【００１８】
図３は、本実施形態の温度設定手段（１２）、表示手段（１６）および制御幅（１８）の設定のためのディップスイッチ（２０）を示す。温度設定手段（１２）は、下降および上昇ボタン（１２ｄ），（１２ｕ）を備え、表示手段（１６）に表示される設定温度を下降または上昇させることができる。制御幅（１６）をディップスイッチ（２０）で設定するようにしているのは、一度設定したら冷凍装置（１）のユーザが変更する可能性は小さいからである。設定温度は、ユーザが表示手段（１６）を見ながら下降ボタン（１２ｄ）または上昇ボタン（１２ｕ）を押す操作を行うことによって、容易に変更することができる。
【００１９】
図４は、図１の実施形態でデファレンシャルを設定する手順を示す。ステップａ１から手順を開始し、ステップａ２では、図３のディップスイッチ（２０）の設定状態による選択結果に従って、制御幅（１８）が設定される。ステップａ３では、設定温度が図３の表示手段（１６）に表示される。ステップａ４では、温度設定手段（１２）のうち、下降ボタン（１２ｄ）が操作されているか否かを判断する。操作されていればステップａ５で設定温度を一定量ずつ下降させる。ステップａ４で下降ボタン（１２ｄ）が操作されていないと判断されるときは、ステップａ６で上昇ボタン（１２ｕ）が操作されているか否かを判断する。操作されているときはステップａ７で設定温度を一定量ずつ上昇させる。
【００２０】
ステップａ５またはステップａ６の次にはステップａ８に移る。ステップａ８では、制御幅（１８）に基づき、次の第１式および第２式に従ってデファレンシャルの下限および上限をそれぞれ設定する。
【００２１】
デファレンシャル下限 ＝ 設定温度−制御幅／２            …（１）
デファレンシャル上限 ＝ 設定温度＋制御幅／２            …（２）
ステップａ９では、デファレンシャル下限が凍結回避のための所定温度（１７）よりも小さいか否かを判断する。実際には、デファレンシャル下限が凍結回避のための所定温度（１７）以下であるか否かで判断するか、あるいは未満であるか否かで判断する。条件が成立するときは、ステップａ１０でそのときの設定温度を無効とし、ステップａ１１で許容される最低温度を設定温度としてステップａ３に戻る。ステップａ６で上昇ボタン（１２ｕ）が操作されていないと判断されるとき、またはステップａ９で条件が成立しないとき、ステップａ１２でデファレンシャル設定の手順を終了する。
【００２２】
ステップａ１１で設定される最低温度は、デファレンシャル下限が凍結回避のための所定温度（１７）である３．８℃になる温度であり、制御幅（１８）が２℃である図２の例では４．８℃である。図５に示すように、制御幅（１８）が４℃である場合は、最低温度は５．８℃となる。このように本実施形態では、デファレンシャルが制御幅（１８）に一致するように優先し、必要に応じて設定温度を変化させている。また、ステップａ１０で設定温度を無効にした後、ステップａ１１で許容される最低温度に設定する代わりに、ステップａ５で下降させた設定温度を元に戻すようにしてもよい。
【００２３】
図６は、本発明に関連する他の形態として、設定温度を優先してデファレンシャルを変化させる考え方を示す。たとえば、ユーザが設定する温度設定値が４．５℃であるとき、上限と下限との温度差を１．４℃としてデファレンシャルを設定する。
【００２４】
図７は、図６のようにデファレンシャルを設定する手順を示す。ステップｂ１〜ステップｂ７までの手順は図４のステップａ１〜ステップａ７までの各ステップとそれぞれ対応するので説明を省略する。ステップｂ８では、設定温度が凍結回避のための設定温度（１７）より大きいことを確認する。大きくないときは、ステップｂ９で設定温度を無効にして、ステップｂ１０で許容される最低温度を設定し、ステップｂ３に戻る。ステップｂ８で設定温度が凍結回避のための所定温度（１７）より大きいことを確認すると、ステップｂ６で上昇ボタン（１２ｕ）が操作されていないと判断される場合とともに、ステップｂ１１に移る。ステップｂ１１では、制御幅（１８）に基づき、前述の第１式および第２式に従って上限および下限が算出され、デファレンシャルが設定される。ステップｂ１２でデファレンシャルの下限が凍結回避のための所定温度（１７）よりも小さいか否かを判断し、小さいときにはステップｂ１３でデファレンシャルを修正する。
【００２５】
デファレンシャルの修正は、設定温度を中心として上下に設けるデファレンシャルのうちの下限が凍結回避のための所定温度（１７）より小さくなることがないように行われる。図６では、デファレンシャル下限を凍結回避のための所定温度（１７）に一致させ、デファレンシャル上限を設定温度と下限との差だけ設定温度より高い温度に設定する。デファレンシャルとして設定可能な温度差が制御幅（１８）として選択可能な温度差に限られるときは、デファレンシャルの下限が凍結回避のための所定温度（１７）より小さくならない範囲で温度差が最大となるものを選択する。ステップｂ１３の修正が終了するとき、あるいはステップｂ１２でデファレンシャル下限が凍結回避のための所定温度（１７）より小さくないときは、ステップｂ１４でデファレンシャル設定手順を終了する。
【００２６】
図４の手順と図７の手順とは、異なる冷凍装置でそれぞれ実施してもよいし、図４の手順を主制御とし、操作者が設定した制御幅（１８）および設定温度ではデファレンシャルの下限が凍結回避のための所定温度（１７）より小さくなってしまうことを条件として、同一の冷凍装置（１）の制御手段（１０）が自動的に図７の手順に切換えるようにしてもよい。これらの実施形態によれば、冷凍装置（１）のユーザが低水温を要求し、温度設定手段（１２）に制御幅（１８）をそのままデファレンシャルとすることができないような低い温度を設定するときであっても、過低温設定を防止することができる。
【００２７】
図８は、本発明に関連するさらに他の形態として、出口水温制御を行う場合に、設定値の上側にデファレンシャルを設定して冷水の温度を制御する考え方を示す。図８（ａ）に示すように、出口水温をたとえば４℃に設定する。出口水温が設定値である４℃未満となると、冷凍装置（１）の冷凍能力を１段階低下させる。出口水温が設定値である４℃よりもデファレンシャルである２℃高い６℃を超えるアップ域では、冷凍装置（１）の能力を１段階上昇させる。温度設定値は、強制的な４０％運転の温度である３．５℃よりは高くなるように設定する。圧縮機（３）を停止状態から起動する際には、通常運転領域の最低ステップである４０％よりもさらに低い能力であるたとえば１０％で２分間運転した後、４０％で３分間運転し、強制的なアンロード運転が行われる。この強制的アンロード運転は、圧縮機（３）での液圧縮を防ぎ、運転停止中に冷媒が寒冷部分に偏在している状態を解除するために必要である。通常運転では、４０％の冷凍能力でも出口水温が設定値未満となるときに、圧縮機（３）の運転が停止するサーモオフ状態となる。一旦サーモオフすると冷凍装置（１）の冷凍能力がなくなるので、入口水温と出口水温とは等しくなる。サーモオフした時点から、水温が２℃上昇すると、圧縮機（３）は再起動する。
【００２８】
以上の説明では、冷却液として水を用いる場合を示している。ブラインなどより低温の冷却液を用いる場合であっても、その凍結防止に本発明を同様に適用することができる。
【００２９】
【発明の効果】
以上のように本発明によれば、デファレンシャル設定手段（１１）は、温度設定手段（１２）に設定される冷却液の温度に対し、予め設定される温度の制御幅（１８）でデファレンシャルを設定し、設定されるデファレンシャルの下限が予め設定される凍結回避のための所定温度（１７）よりも小さくならないような温度設定値のみを用いて、冷却液の温度を安定に制御することができる。これによって、温度設定手段（１２）への温度設定のミスや、設備の冷却液の流量変化などが発生しても、復旧に慎重な手順を要する凍結の防止機能が作動することを防ぎ、低温でも安定した温度の冷却液を得ることが可能となる。
【００３０】
また、温度設定手段（１２）への設定温度が許容される最低温度より低下することはないので、適切な範囲で温度設定を行うことができる。
【００３１】
さらに本発明によれば、冷凍装置（１）のユーザは、デファレンシャル設定手段（１１）に、温度設定手段（１２）に設定される冷却液の温度に対して、デファレンシャルの下限が凍結回避のための所定温度（１７）より小さくならないような温度制御幅（１８）をディップスイッチ（２０）で設定することもできる。
【００３２】
また本発明によれば、デファレンシャル設定手段（１１）によって温度設定手段（１２）に設定される温度に対して制御幅（１８）に基づくデファレンシャルを設定し、デファレンシャルの下限が凍結回避のための所定温度（１７）よりも小さくならないので、冷却液の温度がデファレンシャルの下限未満となるときに冷凍装置の冷凍能力を１段階下降させることができ、急激な冷却液の温度変化を避けて安定な温度で冷却液を供給することができる。
【図面の簡単な説明】
【図１】本発明の実施の一形態の配管系統および制御のための概略的な電気的構成を示すブロック図である。
【図２】図１の実施形態の温度設定および温度制御の状態を示すタイムチャートである。
【図３】図１の実施形態の温度設定手段（１２）、表示手段（１６）および制御幅設定のためのディップスイッチ（２０）の正面図である。
【図４】図１の実施形態のデファレンシャル設定手順を示すフローチャートである。
【図５】図１の実施形態の温度設定および温度制御の状態を示すタイムチャートである。
【図６】  本発明に関連する他の形態の温度設定および温度制御の状態を示すタイムチャートである。
【図７】  図６の関連形態のデファレンシャル設定手順を示すフローチャートである。
【図８】  本発明に関連するさらに他の形態の入口温度制御の状態を示すタイムチャートである。
【図９】従来からのデファレンシャル制御の状態を示すタイムチャートである。
【符号の説明】
１  冷凍装置
２  水側熱交換器
３  圧縮機
５  空気側熱交換器
７  アンロード装置
８  冷温水入口
９  冷温水出口
１０  制御手段
１１  デファレンシャル設定手段
１２  温度設定手段
１３  入口水温検出器
１４  出口水温検出器
１６  表示手段
１７  凍結回避のための所定温度
１８  制御幅
【図１】
0003635831.tif 000002
【図２】
0003635831.tif 000003
【図３】
0003635831.tif 000004
【図４】
0003635831.tif 000005
【図５】
0003635831.tif 000006
【図６】
0003635831.tif 000007
【図７】
0003635831.tif 000008
【図８】
0003635831.tif 000009
【図９】
0003635831.tif 000010